(57)【要約】【課題】  記録媒体に予め記録した情報を利用して、記録媒体の搬入姿勢を検知して対応することができる簡易な記録装置、記録システム、および、それに用いられる記録媒体を提供すること。【解決手段】  記録媒体５が記録装置に所定の基本姿勢で搬入されるとき、および表裏逆および／または前後逆の姿勢で搬入されるときに、穴６ａ，６ｂによって記録媒体５に予め記録された情報の内容を記録装置に備わる反射型フォトカプラー１８によって読取ると共に、その情報の読取りタイミングに基づいて記録媒体５の搬入姿勢を判定する。【選択図】  図３
2005074806.tif 000002
【特許請求の範囲】
【請求項１】
予め情報が記録された記録媒体を搬入し該記録媒体に対して画像を記録可能な記録装置であって、
前記記録媒体の搬入位置に備えられ、前記記録媒体が所定の基本姿勢で搬入されるとき、および前記基本姿勢に対して表裏逆および／または前後逆の姿勢で搬入されるときに、前記記録媒体に記録されている情報を読取る読取り手段と、
前記記録媒体の搬入時の前記読取り手段による前記情報の読取りタイミングに基づいて、前記記録媒体の搬入姿勢を判定する判定手段と、
前記読取り手段に読取られた前記情報の内容と前記判定手段の判定結果とに基づいて、記録を制御する制御手段と、
を備えることを特徴とする記録装置。
【請求項２】
前記記録媒体は、画像が記録される記録領域と、該記録領域から前記記録媒体の搬入方向の前方側および／または後方側にずれて位置して画像が記録されない余白領域と、を含み、該余白領域に前記情報が記録されている
ことを特徴とする請求項１に記載の記録装置。
【請求項３】
前記記録媒体は、当該記録媒体の中心を中心とする点対称の位置に前記情報が対に記録され、
前記読取り手段は、前記記録媒体の搬入姿勢に応じて前記対の情報の一方を読取る
ことを特徴とする請求項１に記載の記録装置。
【請求項４】
前記記録媒体は、穴および／または画像パターンによって前記情報が記録されていることを特徴とする請求項１から３のいずれかに記載の記録装置。
【請求項５】
前記情報は、前記記録媒体の特性、および前記記録媒体に対する記録条件の内の少なくとも一方に関する情報であることを特徴とする請求項１から４のいずれかに記載の記録装置。
【請求項６】
前記記録媒体は、前記情報の記録位置と関連する位置に斜行検知用マークが形成されており、
前記読取り手段は、前記斜行検知用マークの検知も可能であり、
前記判定手段は、前記記録媒体の搬入時の前記読取り手段による前記斜行検知用マークの検知感度に基づいて、前記記録媒体が斜行して搬入されているか否かをも判定する
ことを特徴とする請求項１から５のいずれかに記載の記録装置。
【請求項７】
前記制御手段は、前記読取り手段が読取った前記情報の内容に対応する記録条件にしたがって記録を制御することを特徴とする請求項１から６のいずれかに記載の記録装置。
【請求項８】
記録媒体に対する記録条件を設定するための設定手段を備え、
前記制御手段は、前記読取り手段が前記情報を読取らないときは前記設定手段によって設定された記録条件にしたがって記録を制御し、前記読取り手段が前記情報を読取ったときは該情報の内容に対応する記録条件にしたがって記録を制御する
ことを特徴とする請求項１から６のいずれかに記載の記録装置。
【請求項９】
記録媒体に対する記録条件を設定するための設定手段を備え、
前記制御手段は、前記読取り手段が読取った前記情報の内容に対応する記録条件と、前記設定手段によって設定された記録条件と、が異なるときに、記録を中止することを特徴とする請求項１から８のいずれかに記載の記録装置。
【請求項１０】
前記制御手段は、前記判定手段によって判定された前記記録媒体の搬入姿勢が許容できない姿勢であるときに、記録を中止することを特徴とする請求項１から９のいずれかに記載の記録装置。
【請求項１１】
警告を発することが可能な警告手段を備え、
前記制御手段は、記録を中止するときに前記警告手段によって警告を発することを特徴とする請求項９または１０に記載の記録装置。
【請求項１２】
予め情報が記録された記録媒体を搬入し該記録媒体に対して画像を記録可能な記録装置と、該記録装置の記録条件を設定可能な制御装置と、を含む記録システムであって、
前記記録装置における前記記録媒体の搬入位置に備えられ、前記記録媒体が所定の基本姿勢で搬入されるとき、および前記基本姿勢に対して表裏逆および／または前後逆の姿勢で搬入されるときに、前記記録媒体に記録されている情報を読取る読取り手段と、
前記記録媒体の搬入時の前記読取り手段による前記情報の読取りタイミングに基づいて、前記記録媒体の搬入姿勢を判定する判定手段と、
前記読取り手段に読取られた前記情報の内容と前記判定手段の判定結果とに基づいて、記録を制御する制御手段と、
を備えることを特徴とする記録システム。
【請求項１３】
予め情報が記録された記録媒体の搬入時に前記情報を読取り可能な読取り手段と、前記記録媒体に画像を記録可能な記録手段と、を備えた記録装置に搬入される記録媒体であって、
前記情報は、前記記録媒体が前記記録装置に所定の基本姿勢で搬入されるとき、および前記基本姿勢に対して表裏逆および／または前後逆の姿勢で搬入されるときに、前記読取り手段によって読取られる位置に記録され、
前記読取り手段による前記情報の内容の読取りと、前記読取り手段による前記情報の読取りタイミングに基づく前記記録媒体の搬入姿勢の判定を可能とする
ことを特徴とする記録媒体。
【発明の詳細な説明】
【技術分野】
【０００１】
本発明は、文字、図形、写真などの画像を記録するための記録装置、記録システム、および画像が記録される記録媒体に関し、さらに詳細には、予め記録媒体に記録した情報に基づいて記録の制御が可能な記録装置、記録システム、およびそれに用いられる記録媒体に関するものである。
【背景技術】
【０００２】
従来より、記録媒体の特性、種類、記録位置、サイズ、記録面（表面または裏面）、記録時の向き、ミシン目の有無などの情報を記録媒体上に予め記録しておき、記録を行う際に、その情報を読み取って適正な記録モードを自動的に選択したり、記録媒体の装填ミスを自動検知する方式が種々提案されている。
【０００３】
例えば、特許文献１には、予め記録媒体に記録されているバーコードをラインセンサにより読み取り、そのバーコードが記録媒体上の所定範囲外の位置において検知された場合に、記録媒体の斜行が生じたと判定する方法が記載されている。また、特許文献２には、片面に対してのみにレシーバ用コーティングが施された記録媒体を使用する場合に、その表裏が正しくセットされているか否かを検知するために、少なくとも記録媒体の一辺に不規則な形状部分を設け、その形状部分を光学的または機械的に検知したときに、それが適正でなければ記録を抑止する方法が記載されている。また、特許文献３には、折り畳み紙、ロール紙、カット紙に対して記録可能な記録装置において、折り畳み紙の各頁に小穴を形成し、また給紙部に第１の記録紙検出器を設けると共に、排紙部に第２の記録紙検出器を設け、そして第１，第２の記録紙検出器による記録紙の検出の有無と、小穴の検出の有無によって、上記３種類の記録媒体を判別する方法が記載されている。また、特許文献４には、単葉紙の裏面に様々な記録設定条件を記録しておいて、それを読み取る方法、具体的には、その記録設定条件をバーコードによって予め記録しておいて、それを記録装置に備わるバーコードリーダーによって読み取る方法が記載されている。また、特許文献５には、記録位置決めマーク、紙種類、画像分割数、サイズ、代理店コードが予め記録媒体に記録され、記録装置にて記録用紙位置決め情報を光学的、磁気的に読み取って、それを記録に利用する方法が記載されている。
【０００４】
【特許文献１】特開平３−１４３６６２号公報
【特許文献２】特開平６−２４０６１号公報
【特許文献３】特開平６−２６２８３３号公報
【特許文献４】特開２０００−３７９２３号公報
【特許文献５】特開２０００−１２７５５１号公報
【発明の開示】
【発明が解決しようとする課題】
【０００５】
しかしながら、従来は、記録媒体の向きや表裏を判別するためだけに単独のセンサーを設定したり、複数の情報を授受するためにバーコードと読み取り装置を用いるため、高機能かつ高価な手段を備える必要があった。また、単葉紙を用いる記録装置においては、特別な情報がマーキングされていない通常の記録媒体に対しての記録も求められるものの、そのマーキングが検出できなかったときに、マーキングした単葉紙の装填ミスが生じたのか、あるいはマーキングされていな単葉紙が装填されたかの判別ができなかった。
【０００６】
本発明の目的は、記録媒体に予め記録した情報を利用して、記録媒体の搬入姿勢を検知して対応することができる簡易な記録装置、記録システム、および、それに用いられる記録媒体を提供することにある。
【０００７】
また、本発明の他の目的は、予め情報が記録された記録媒体と、情報が記録されていない他の記録媒体とを判別して、それぞれの記録媒体に適した記録を行うことができる記録装置、記録システム、および、それに用いられる記録媒体を提供することにある。
【課題を解決するための手段】
【０００８】
本発明の記録装置は、予め情報が記録された記録媒体を搬入し該記録媒体に対して画像を記録可能な記録装置であって、前記記録媒体の搬入位置に備えられ、前記記録媒体が所定の基本姿勢で搬入されるとき、および前記基本姿勢に対して表裏逆および／または前後逆の姿勢で搬入されるときに、前記記録媒体に記録されている情報を読取る読取り手段と、前記記録媒体の搬入時の前記読取り手段による前記情報の読取りタイミングに基づいて、前記記録媒体の搬入姿勢を判定する判定手段と、前記読取り手段に読取られた前記情報の内容と前記判定手段の判定結果とに基づいて、記録を制御する制御手段と、を備えることを特徴とする。
【０００９】
本発明の記録システムは、予め情報が記録された記録媒体を搬入し該記録媒体に対して画像を記録可能な記録装置と、該記録装置の記録条件を設定可能な制御装置と、を含む記録システムであって、前記記録装置における前記記録媒体の搬入位置に備えられ、前記記録媒体が所定の基本姿勢で搬入されるとき、および前記基本姿勢に対して表裏逆および／または前後逆の姿勢で搬入されるときに、前記記録媒体に記録されている情報を読取る読取り手段と、前記記録媒体の搬入時の前記読取り手段による前記情報の読取りタイミングに基づいて、前記記録媒体の搬入姿勢を判定する判定手段と、前記読取り手段に読取られた前記情報の内容と前記判定手段の判定結果とに基づいて、記録を制御する制御手段と、を備えることを特徴とする。
【００１０】
本発明の記録媒体は、予め情報が記録された記録媒体の搬入時に前記情報を読取り可能な読取り手段と、前記記録媒体に画像を記録可能な記録手段と、を備えた記録装置に搬入される記録媒体であって、前記情報は、前記記録媒体が前記記録装置に所定の基本姿勢で搬入されるとき、および前記基本姿勢に対して表裏逆および／または前後逆の姿勢で搬入されるときに、前記読取り手段によって読取られる位置に記録され、前記読取り手段による前記情報の内容の読取りと、前記読取り手段による前記情報の読取りタイミングに基づく前記記録媒体の搬入姿勢の判定を可能とすることを特徴とする。
【発明の効果】
【００１１】
本発明は、記録媒体が記録装置に所定の基本姿勢で搬入されるとき、および表裏逆および／または前後逆の姿勢で搬入されるときに、記録媒体に予め記録された情報の内容を記録装置に備わる読取り手段によって読取ると共に、その情報の読取りタイミングに基づいて記録媒体の搬入姿勢を判定することにより、その読取り手段を記録媒体の搬入姿勢の検知手段として兼有することができ、記録媒体の搬入姿勢を検知するための特別な検知手段を備える必要がない。この結果、記録媒体を表裏逆および／または前後逆に装填して搬入した場合に、その搬入姿勢に応じた制御を簡易な構成によって実現することができる。
【００１２】
また、記録媒体の搬入方向の前方側および／または後方側を余白領域とし、その余白領域に情報を記録することにより、その情報と記録媒体に対する記録画像との重なりを避けて、見栄えのよい記録物を得ることができる。
【００１３】
また、穴および／または画像パターンによって記録媒体に情報を記録することにより、予め情報が記録された記録媒体を簡易かつ安価に提供することができる。
【００１４】
また、予め記録媒体に記録される情報として、記録媒体の特性、および前記記録媒体に対する記録条件の内の少なくとも一方に関する情報を含むことにより、その情報に基づいて記録媒体の記録条件を設定し、記録媒体の種類に応じた適確な記録を行うことができる。
【００１５】
また、記録媒体に、読取り手段によって検知可能な斜行検知用のマークをも形成することにより、記録媒体が斜行して搬入されているか否かをも判定して対処することができる。
【００１６】
また、情報が読取れた記録媒体に関しては、その情報の内容に対応する記録条件にしたがって記録を制御し、また情報が読取れなかった記録媒体に関しては、設定手段によって設定された記録条件にしたがって記録を制御することにより、前者のように予め情報が記録されている記録媒体と、後者のように情報が記録されていない他の記録媒体とを判別して、それぞれに適した記録を行うことができる。
【００１７】
また、読取り手段が読取った記録媒体の情報に対応する記録条件と、設定手段によって設定された記録条件と、が異なるときに、記録を中止することにより、記録媒体の搬入姿勢が不良のまま記録を行ってしまう無駄をなくすことができる。
【００１８】
また、記録媒体の搬入姿勢が許容できない姿勢であるときに、記録を中止したり警告を発することにより、無駄な記録動作をなくすことができる。
【発明を実施するための最良の形態】
【００１９】
以下、本発明の実施形態を図面に基づいて説明する。  
（第１の実施形態）
図１は、本実施形態の記録装置（以下、「プリンタ」ともいう）の斜視図である。１はプリンタであり、画像を記録した記録媒体を排出するための排紙口１ａを有する。１ｂは液晶等を備えた表示器、１ｃは記録にかかわる設定を行うためのキー群である。表示器１ｂには、使用する記録媒体のサイズ、高画質記録や高速記録などの記録モード、１枚の記録媒体に何画面の記録をするかを決める記録分割数、および余白の有無などが表示される。表示器１ｂの表示内容は、キー群１ｃを用いて目的に応じて合わせ切り替えられる。記録条件の設定は、このプリンタ１がコンピュータ等のホスト装置に接続された場合には、コンピュータ上のアプリケーションやプリンタドライバを用いても設定することができる。２は記録媒体を収納するカセットであり、図示のようにプリンタ１に装着され、記録する際には記録媒体を１枚ずつプリンタ１へ給紙する。２ａはカセット２にあるサイドガイド、２ｂは記録媒体を複数枚装填する積載部である。積載部２ｂに対しては、通常、いくつかのサイズの記録媒体が選択的に装填可能である。プリンタ使用者は、記録媒体を積載部２ｂに装填後、その記録媒体のサイズに応じてサイドガイド２ａの位置を動かし、整列させた記録媒体の側面とサイドガイド２ａとの間に隙間がないよう、そのサイドガイド２ａを記録媒体の側面に押し当てる。
【００２０】
図２は、プリンタ１に内蔵されているプリンタユニット３の斜視図であり、４は、記録媒体に対して記録を行うための記録ヘッドである。記録ヘッド４はキャリッジに搭載され、そのキャリッジは、スクリューシャフトなどを用いた移動機構によって矢印Ｃの主走査方向に往復移動される。記録ヘッド４としては、吐出口からインクを吐出可能なインクジェット記録ヘッドを用いることができ、そのインクの吐出は電気熱変換体（ヒータ）やピエゾ素子などを用いて行うことができる。電気熱変換体を用いた場合には、その熱エネルギーによってインクを沸騰させ、その発泡エネルギーを利用して吐出口からインクを吐出することができる。記録媒体は、図中の矢印Ａからプリンタユニット３に給紙されて、プリンタユニット３内にて、矢印Ｓの副走査方向に間欠的に搬送される。記録ヘッド４がキャリッジと共に主走査方向に移動しつつ記録媒体上に画像を記録する記録動作と、記録媒体の副走査方向の所定量の搬送動作と、を繰り返すことによって、記録媒体上の全記録領域に画像が順次記録される。画像が記録された記録媒体は、矢印Ｂ方向へ排紙される。
【００２１】
図３は、記録媒体５の詳細図である。記録媒体５は、図中の表面側に対してのみ記録受容層が形成されている。その記録受容層は、記録にじみの防止や記録濃度を上げて、高品位な画像を得るための層である。記録媒体５の中央は、画像が記録される記録領域５ａである。５ｂ、５ｃは非記録領域としてのタブであり、記録領域５ａとの境界には、断続的にカットされたミシン目５ｄ、５ｅが設けられている。画像の記録後に、タブ５ｂ、５ｃは、ミシン目５ｄ、５ｅにて手で折り取ることができる。このような構成において、画像の記録領域を記録領域５ａよりもやや大きくして、タブ５ｂ、５ｃにはみ出るように設定することにより、記録後のタブ５ｂ、５ｃを折り取ったときに、記録領域５ａに対して余白のない全面記録ができることになる。また、タブ５ｂ、５ｃには、後述するように、記録媒体５に関連する情報をもつ穴６ａ、６ｂ、７が設けられている。記録媒体５の搬送方向は記録媒体５の長辺方向と平行であり、穴６ａ、６ｂ、７は、記録媒体５の短辺の中心５ｆから所定量オフセットされた直線ＬＡ，ＬＢ上に配置されている。記録媒体５は、その長辺の中心５ｇと短辺の中心５ｆの交点に対し回転対象形になっており、中心５ｆからオフセットして配置された穴６ａ、６ｂ、７については、回転対称位置に対となるように直線ＬＡ，ＬＢ上に計２組配置されている。
【００２２】
穴６ａ、６ｂの寸法は、記録媒体の種類に応じて予め決定されている。図４に、その例を示す。穴６ａの開始位置Ｐは紙端から一定の距離Ｌ１にあり、図４の例では、穴６ａの長さ、穴６ｂの有無、穴６ａ，６ｂの間隔Ｌ２の違いにより、「１」〜「１０」の１０種類の組み合わせが設定されている。この組み合わせに応じて、１０種類の記録媒体の識別が可能となる。記録媒体の種別に対応した紙種、サイズ、記録する範囲等の記録特性や条件について、それらの一覧表をプリンタ内部の不揮発性メモリー手段に格納しておくことにより、検知された記録媒体の種類に応じて、それに最適な記録のための設定を自動的に選択することができる。また穴７は、穴６ａ、６ｂとは異なる長さに設定されている。
【００２３】
図５は、記録動作前におけるプリンタユニット３と記録媒体５の状態を示す概略の縦断面である。
【００２４】
８は、記録用紙積載部２ｂに複数枚数スタックされている記録媒体５を一枚ずつに分離するための分離部である。９は回動可能な圧板、１０は自転および公転が可能な給紙ローラーであり、図５の状態では、どちらも記録媒体５から退避した位置に静止している。１１および１６は回転可能な搬送ローラーおよび排紙ローラーであり、それぞれに対しては、ピンチローラー１２、１７が不図示の押圧手段により圧接されている。１３はプラテンであり、搬送ローラー１１と排紙ローラー１２との間に設けられている。１８は反射型フォトカプラーであり、ＬＥＤなどの発光素子と、反射した光を検知する受光素子を内蔵する。１９はライトガイドであり、反射型フォトカプラー１８と、記録媒体５が搬送される搬送路との間を導光する透明材質から成る。反射型フォトカプラー１８とライトガイド１９は、図５に示すように、搬送ローラー１１と給紙カセット８との間に配置されている。
【００２５】
図６は、反射型フォトカプラー１８とライトガイド１９の断面拡大図、図７は、反射型フォトカプラー１８を含む記録媒体検知用の回路の配線図である。
【００２６】
反射型フォトカプラー１８において、１８ａは発光部、１８ｂは受光部である。ライトガイド１９には突出した導光部１９ａがあり、その上面１９ｂは、給紙される記録媒体５の下面近傍に位置し、その下面と略並行になるように設定されている。発光部１８ａから発光した光は、例えば、光線２０のように、ライトガイド１９の導光部１９ａ内を反射しながら図中の上方に向かい、そして導光部１９ａの上面１９ｂから射出される。もしも、上面１９ｂの上方の搬送路に記録媒体５がなければ、それによって光線２０は反射されず、受光部１８ｂは反射光を検知することはない。上面１９ｂの上方の搬送路に記録媒体５があれば、それによって光線２０が反射され、その反射光は、反射光線２１のように上面１９ｂから導光部１９ａに入光し、そして導光部１９ａ内を反射しながら受光部１８ｂに向かう。したがって、受光部１８ａが受光するか否かに応じて、反射型フォトカプラー１８上の搬送路における記録媒体５の有無を検知することができる。
【００２７】
図７のように、発光部１８ａは発光ダイオードで構成され、また受光部１８ｂはフォトトランジスタで構成されている。発光部１８ａのアノードと受光部１８ｂのコレクタは、電圧Ｖｃｃの印可が可能に接続され、発光部１８ａのカソードはアースに、また受光部１８ｂのエミッタは抵抗Ｒを介してアースに接続されている。電圧Ｖｃｃが印可されると発光部１８ａは発光する。もし、記録媒体５が搬送路にない場合には、反射光を受けない受光部１８ｂには電流が流れないため、抵抗Ｒの両端の電圧差Ｖｏは発生しない。記録媒体５が搬送路にある場合には、反射光を受けた受光部１８ｂに電流が流れるため、抵抗Ｒの両端には電圧差Ｖｏが発生し、それによって記録媒体５の存在を検知することができる。このとき、導光部１９ａの上面１９ｂを記録媒体５が覆っている割合が多いほど、反射光線２１の量も多くなって、電圧差Ｖｏも大きくなる関係にある。したがって、記録媒体５の搬送方向における導光部１９ａの上面１９ｂの幅Ｄ内を記録媒体５が移動する間に、電圧差Ｖｏは最小から最大に変化することになる。
【００２８】
次に、このような構成における動作を説明する。  
プリンタ１の表示部１ｂには、電源をＯＮしたときに、記録情報を持たない記録媒体用の記録条件が表示される。図８から図１０は、給紙から記録終了までの動作の説明図、図１１は、その動作の間における電圧差Ｖｏの変化の説明図である。
【００２９】
まず、図８の状態において給紙が行われる。不図示機構により、圧板９が右回転して積載されている記録媒体５を押圧すると共に、給紙ローラー１０が左回転しながら上昇して記録媒体５に当接することによって、記録媒体５を搬送ローラー１０の方向に送る。積載された記録媒体５の最下層の一枚が分離部８ａによって分離されて、搬送ローラー１０の方向に給紙される。その過程において、記録媒体５の先端が反射型フォトカプラー１８によって検知される。
【００３０】
図１１の横軸は時間の経過、縦軸は電圧差Ｖｏの変化を現し、電位差Ｖｏは、記録媒体５を検知しているときのＨレベルと、それを検知してないときのＬレベルとの間で変化する。最初にＬレベルであった電圧差Ｖｏは、記録媒体５の先端が反射型フォトカプラー１８上に移動した時点ａにてＨレベルに変化する。このときのＬレベルとＨレベルとを比較し、記録媒体５の有無を判断するためのスレッショルドレベル（しきい値）Ｃを決定する。このように、実測された値（ＬレベルおよりＨレベル）を用いてスレッショルドレベルＣを決定することにより、反射率の異なる記録媒体に対しても正確に有無を検知することができる。記録媒体５の先端が搬送ローラー１１とピンチローラー１２と間に狭持された以降、記録媒体５は、給紙ローラー１０によるよりも安定した搬送速度で送られることになる。
【００３１】
その後、穴６ａ、６ｂが反射型フォトカプラー１８上を通過し、それぞれの端部は、図１１中の時点ｂ，ｃ，ｄ，ｅにおける電位差Ｖｏの変化として検知される。時点ｂからｃまでの時間Ｔ１は穴６ａの長さに対応し、時点ｃからｄまでの時間Ｔ２は穴６ａ，６ｂの間隔Ｌ２に対応し、時点ｄからｅまでの時間Ｔ３は穴６ｂの長さに対応する。これらの時間Ｔ１，Ｔ２，Ｔ３のそれぞれに記録媒体５の搬送速度を乗算し、それらの値の関係を図４の表と対照することにより、記録媒体５の種類を判別することができる。プリンタ１に内蔵された不図示の不揮発メモリーには、判別された記録媒体の種類に対応するサイズ、適した記録モード、適した色再現のアルゴリズム、および適した記録範囲などが格納されている。したがって、判別した記録媒体の種類に応じて、このような項目のデータを不揮発メモリーから読み出すことによって、それらの項目を自動的に選択することができる。
【００３２】
もしも、キー群１ｃと表示器１ｂを用いて使用者が予め設定しておいた内容と、上記のように判別した記録媒体の種類に対応する項目の内容とが矛盾する場合には、後者の内容を優先し、表示器１ｂの表示を自動的に切り替えたり、その表示器１ｂによって警告を発する。また、判定した記録媒体に種類に応じて選択可能な選択肢のみを表示したり、場合によっては、通常の選択肢には現れない選択肢まで拡張して表示し、改めて使用者に選択を促す。例えば、使用者が実際の記録媒体のサイズより大きなサイズを指定していたときには、選択可能なサイズのみを点滅表示して警告し、使用者に改めてキー群１ｃを用いての選択を促すことができる。また、通常の選択肢にない選択肢として、記録媒体の実際のサイズに画像の大きさを拡大または縮小して合わせるか否かの選択肢を現すことができる。記録に必要な条件が全て決定されてから、画像を実際に記録するための、画像データをドット単位のデータに変換する。
【００３３】
記録媒体５がさらに搬送されて、その先端が排紙ローラー１６とピンチローラー１７との間に狭持されると給紙動作を終了して、図９の状態となる。
【００３４】
図９の状態は記録を開始する状態であり、記録媒体５の搬送方向における位置は、前述したように判別された記録媒体の種類に適した記録範囲に合わせて決定され、図１１中の時点ｂからの搬送量、つまり穴６ａの端部からの搬送量として制御される。このとき、圧板９は左回転して記録媒体への押圧が解除され、給紙ローラー１０は下方に退避し、記録媒体５の搬送は、搬送ローラー１１、排紙ローラー１６、およびピンチローラー１２，１７のみによって行われる状態となる。図９中の範囲Ｄは、記録ヘッド４の走査によって記録される範囲を示し、前述したように、記録ヘッド４は記録媒体５上において主走査方向に移動しつつ、記録媒体の範囲Ｄに記録をする。１走査の記録終了後、記録媒体５は副走査方向に所定量搬送され、その後、記録ヘッド４は、記録媒体５上の新たな範囲Ｄに記録をする。このように、記録ヘッド４による記録動作と、記録媒体５の所定量の搬送と、が繰り返される。
【００３５】
記録媒体５に対しての記録が終了近くになると、記録媒体５の穴７が反射型フォトカプラー１８の上を通過し、その穴７の端部は、図１１中の時点ｆ、ｇにて検知される。時点ｆからｇまでの時間Ｔ３は、穴７の長さに対応する。時点ｆにて穴７が検知されたことにより、記録媒体５の記録終了位置が確認される。判別された記録媒体５のサイズから想定されるタイミングよりも早く、または遅く穴７が検知された場合には、記録媒体の搬送に異常があったと判断して、記録の中止、記録媒体の排出、およびエラー表示などを行う。記録媒体の搬送の異常としては、例えば、プリンタの排紙口の先に障害物などがあるために記録媒体が正常に搬送されなかった場合、またはプリンタ使用者が排紙口から強制的に記録媒体を引き抜いた場合などが想定される。
【００３６】
穴７が正常に検知された場合には、図１０状態にて記録が終了し、記録媒体５を図中の左方に排出して動作を終了する。図１１中の時点ｈにおいて記録媒体５の後端が検知され、電位差Ｖｏは、記録媒体５がないときのＬレベルとなる。
【００３７】
その後も続けて記録データがある場合には、再び図８の状態に戻り、次の記録媒体５を給紙して次の記録を開始する。
【００３８】
本例においては、記録媒体５が回転対称形を成しているため、図３中の左右のどちらを先にして給紙しても違いはなく、ＬＡ列の穴６ａ，６ｂ，７またはＬＢ列上の穴６ａ，６ｂ，７のいずれかが反射方フォトセンサー１８上をその順序で通過する。したがって、記録媒体５を図３中の左右のどちらを先にして給紙しても正常に記録動作を行うことができる。
【００３９】
次に、プリンタ使用者が誤って、記録媒体５を裏返しに装填してしまった場合について説明する。
【００４０】
裏返しに装填された記録媒体５が給紙された場合、図８の状態において、まず、穴７が反射型フォトカプラー１８上を通過することになる。この場合、電圧差Ｖｏは図１２のように変化する。すなわち、時点ａ−１にて記録媒体５の先端が検知され、次の時点ｂ−１、ｃ−１にて穴７の端部が検知される。その時点ｂ−１からｃ−１までの時間Ｔ４−１は、穴７の長さに対応する。穴７の長さは、前述したように穴６ａ、６ｂの長さとは異なっているため、この時点ｂ−１、ｃ−１にて、記録媒体５が裏返しであると判断することができる。その場合には、記録動作に移行することなく記録媒体５を排紙し、表示器１ｂを用いてエラー表示して、使用者に記録媒体５の正しい装填を促す。したがって、記録媒体５の表裏を間違えて装填しても、それが穴６ａ，６ｂ，７によって記録情報を有する専用の記録媒体であることが認識でき、かつ装填が正しかったかどうかも同時に認識することができる。裏返しの記録媒体５をそのまま排出した場合には、図１２中の時点ｄ−１、ｅ−１，ｆ−１，ｇ−１において穴６ａ，６ｂの端部が検知されることになる。その場合には、時点ｄ−１からｅ−１までの時間Ｔ３−１が穴６ｂの長さに相当し、時点ｅ−１からｆ−１までの時間Ｔ２−１が穴６ａ，６ｂの間隔Ｌ２に対応し、時点ｆ−１からｇ−１までの時間Ｔ１−１が穴６ａの長さに対応する。
【００４１】
次に、記録情報を持たない通常の記録媒体を装填した場合について説明する。  
記録媒体が図８に示す位置まで給紙されたときに、穴６ａ、６ｂが検知されない場合には、通常の記録媒体が給紙されたと判定し、表示器１ｂに表示されている記録条件にしたがって記録を行う。例えば、設定された余白量を記録媒体の紙端部から確保するように、記録スタート位置を設定する。
【００４２】
次に、記録媒体５が斜行した場合について説明する。  
記録媒体をきちんと揃えずに装填したり、前記サイドガイド２ａを記録媒体の側面に当てなかった場合には、記録媒体が斜めに傾いたまま搬送されるおそれがある。この場合には、記録媒体に対する記録が斜めに傾いてしまい、正確な位置に画像を記録することができず、見栄えが悪くなってしまう。
【００４３】
図１３は、記録媒体５が正しく装填された場合のライトガイド１９の上面１９ｂと穴６ａ、７との関係の説明図である。穴６ａ、７、および不図示の穴６ｂの幅Ｆは、ライトガイド１９の上面１９ａの幅Ｅよりも若干大きく設定されている。したがって、穴６ａ、６ｂ、７が反射型フォトセンサー１８上を矢印Ｓ方向に通過する際には、記録媒体５によってライトガイド１９の上面１９ｂ上が全く覆われない状態になり、電圧差Ｖｏは記録媒体５がなかったときのレベルＬまで下がる。
【００４４】
図１４、１５は、記録媒体５の斜行が生じた場合の説明図である。図１４は穴７とライトガイド１９の上面１９ｂとの関係の説明図、図１５は、そのときの電圧差Ｖｏの説明図である。
【００４５】
記録媒体５が斜行した場合、その搬送方向先側の穴６ａ，６ｂはライトガイド１９の上面１９ｂ上からは大きくずれずに、それらの穴６ａ，６ｂが正常に検出されたとしても、その搬送方向後側の穴７は、ライトガイド１９の上面１９ｂ上から大きくずれて、図１４のように、ライトガイド１９の上面１９ｂ上を完全に開放することができずに部分的に覆ってしまうことがある。ライトガイド１９の上面１９ｂ上を覆った記録媒体５の部分は、光線２０を反射してしまい、その反射光２１が受光部１９によって検知されてしまう。そのため、穴７を検知する図１５中の時点ｆ、ｇ間の電圧差ＶｏはＬレベルまで下がらなくなり、プリンタは、その電位差Ｖｏから記録媒体５に斜行が生じたことを判別できる。したがって、穴７は、記録媒体５の斜行検出用マークとして機能することになる。
【００４６】
同様に、穴６ａの検出時点ｂ、ｃの間の電位差ＶｏのみがレベルＬまで下がらないとき、または穴６ａ，６ｂの検出時点ｂ、ｃおよびｄ、ｅの間の電位差ＶｏのみがレベルＬまで下がらないときにも、記録媒体５に斜行が生じたと判断することができる。また、穴６ａ、６ｂ、７の検出時点の電位差Ｖｏの全てがレベルＬまで下がらないときは、記録媒体５全体が短辺方向にずれて給紙されていると判断することができる。穴６ａ、６ｂの検出時点における電位差Ｖｏの異常を検知した場合には、記録を行わず記録媒体５を排出し、表示器１ｂを用いてエラー表示をする。穴７の検出時点における電位差Ｖｏの異常を検知した場合には、ほとんど記録が終了しているため最後まで記録を続行して、記録媒体５の排出後にエラー表示などを行う。さらに、その場合には、次の記録媒体に連続して記録をするように設定されていても次の給紙動作に入らないなどの手段を講じて、使用者に記録媒体の正しい装填を促すことができる。
【００４７】
本例においては、記録媒体５を回転対称形としているため、使用者は、記録媒体５の表裏のみに気をつけて、それをプリンタに装填すれば良いという利点がある。また、記録媒体５の余白領域に設けた穴６ａ、６ｂ、７によって情報を記録するため、情報の記録を安価に実現でき、また情報の記録部分が記録範囲に影響を及ぼすこともない。また、記録媒体５の余白領域と記録領域との間をミシン目によって区切ったため、記録後に余白領域を簡単に切り取ることができる。
【００４８】
（第２の実施形態）
次に、本発明の第２の実施形態について説明する。図１６は、第２の実施形態における記録媒体２３の説明図、図１７はプリンタ本体の中央部分の概略断面図であり、第１の実施形態と同じ構成には同じ符号を付して説明を省略する。
【００４９】
図１６の記録媒体２３は、第１の実施形態における記録媒体５と同様に、記録領域２３ａと非記録領域２３ｂ、２３ｃとを含む。２３ｅ，２３ｆはミシン目である。非記録領域２３ｂと２３ｃは大きさが異なり、記録媒体２３の搬送方向は、図中左側の非記録領域２３ｂを先にした矢印Ｓ方向である。短辺方向の中心２３ｄに対して所定量オフセットした位置の列ＬＣ上において、非記録領域２３ａには穴６ａ、６ｂが設けられ、また非記録領域２３ｃには穴７が設けられている。また、中心２３ｄから同量反対側にオフセットした位置の列ＬＤ上において、非記録領域２３ｂと２３ｃのそれぞれには穴２４が設けられている。記録媒体２３の搬送方向における穴２４の長さは、穴７と同じ長さＬ３に設定されている。非記録領域２３ｃには穴７と穴２４しか形成されていないため、非記録領域２３ｂに比較して、記録媒体２３の搬送方向における寸法が小さく設定されている。穴６ａ、６ｂ、２４の幅は、第１の実施形態における記録媒体５の穴６ａ，６ｂ，７と同じ幅Ｆに設定されている。穴７の幅Ｇは、幅Ｆよりも狭く、かつライトガイド１９の上面１９ｂの幅Ｅ（図１３参照）よりは広く設定されている。
【００５０】
図１７において、前述した第１の実施形態との違いは、反射型フォトカプラー１８とライトガイド１９が搬送ローラー１１の図中左側（排紙ローラー１６寄り）に配置されている点である。
【００５１】
次に、このような構成における動作について説明する。  
正しく動作したときは、第１の実施形態とほぼ同等である。すなわち、給紙動作により１枚に分離された記録媒体２３は、搬送ローラー１１とピンチローラー１２とによってさらに搬送される。そして、反射型フォトカプラー１８上を記録媒体２３の先端、穴６ａ、穴６ｂが通過し、そのときの電圧差Ｖｏの変化に基づいて記録媒体の種類が特定される。反射型フォトカプラー１８は、記録媒体の搬送方向において搬送ローラー１２よりも下流側に位置しているため、記録媒体２３の先端から穴６ａの開始位置Ｐ１までの距離Ｌ１１は短く設定することができる。すなわち、第１の実施形態の場合には、記録媒体の先端が搬送ローラー１２に到達してから、穴６ａが反射型フォトカプラー１８上を通過させる必要があり、一方、本実施形態の場合には、その必要がなく、第１の実施形態における距離Ｌ１に比較して距離Ｌ１１を短く設定できる特徴がある。したがって、その分、非記録領域２３ｂの搬送方向における寸法を小さく設定できる。記録終了近くにおいて、穴７を検知して異常の有無を検知することは第１の実施形態と同様である。
【００５２】
次に、記録媒体２３の装填方向や表裏を間違えた場合について説明する。
記録媒体２３は装填方向が決まっているため、その向きを間違えて装填した場合には正しい記録ができなくなる。記録媒体２３の向きを間違えて装填して、給紙動作を行った場合には、非記録領域２３ｃの穴２４が反射型フォトカプラー１８上を通過する。前述したように、穴８の長さＬ３は穴７と同じであるため、その時点で記録媒体２３が正常でないことを検知して、エラー表示をして使用者に正しい装填を促すことができる。また、記録媒体２３の裏表を間違えた場合には、給紙動作時に非記録領域２３ｂの穴２４が反射型フォトカプラー１８上を通過し、また記録媒体２３の裏表と装填方向とを同時に間違えた場合には穴７が最初に反射型フォトカプラー１８上を通過するため、同様に、その時点で異常を検知し、記録媒体に無駄な記録をすることなく使用者に正しい装填を促すことができる。したがって、記録媒体の表裏、または方向を間違えて装填したとしても、それが記録情報を有する専用の記録媒体２３であることを認識することができ、かつ、その記録媒体２３の装填が正しいかどうかも同時に認識することができる。記録情報を持たない通常の記録媒体、つまり記録媒体２３とは異なる記録媒体が装填された場合には、第１の実施形態と同様に、記録媒体が図８に示す位置まで給紙されたときに穴６ａ、６ｂが検知されないため、このことをもって通常の記録媒体が装填されたと判定し、表示器１ｂに表示されている記録条件にしたがって記録を行う。
【００５３】
また、穴７の幅Ｇを他の穴の幅Ｆよりも小さく設定しているため、その穴７の周部は、記録媒体２３のより小さい傾きによってライトガイド１９の上面１９ｂを覆うことになり、この結果、記録媒体２３の斜行の検知能力を上げることができる。穴７の幅Ｇは、ライトガイド１９の上面１９ｂの幅Ｅより大きくする他、その幅Ｅと同一またはやや小さく設定してもよく、同様に、記録媒体２３のずれに対して敏感に電圧差Ｖｏを変化させて、記録媒体２３の斜行の検知能力を上げることができる。
【００５４】
このように、第２の実施形態は、反射型フォトカプラーを搬送ローラーの図１７中左側（排紙ローラー寄り）に配置したため、第１の実施形態と比較して、記録媒体の端部から穴までの距離を短く設定することができ、よって記録媒体全体を小さくすることができる。また、記録媒体を非対称形状として、記録媒体判別用の穴（６ａ，６ｂ）を一箇所だけに設けることにより、搬送方向後端側の非記録領域（２３ｃ）の搬送方向における寸法を小さく設定することができ、よって記録媒体全体をより小さくすることができる。また、搬送方向後ろ寄りの穴（７）の幅を他の穴よりも小さくすることにより、記録媒体のより小さな斜行やずれを検知することができる。また、記録媒体を前後逆に装填したことを検知することもできる。
【００５５】
（第３の実施形態）
図１８は、本発明の第３の実施形態における記録媒体２５の説明図である。記録媒体２５において、図１８図中の表面側は記録できない裏面である。
【００５６】
記録媒体２５に、記録領域２５ａと搬送方向前後の非記録領域２５ｂ、２５ｃとが含まれることは、前述した実施形態における記録媒体と同様である。２５ｅ，２５ｆはミシン目である。記録媒体２５は、図１８中の左右において非対称の形状となっているため、搬送方向に対して定められた正しい方向に装填する必要がある。２６ａ、２６ｂ、２７、２８、２９は、記録媒体２６において光の反射率が低くなるように予め記録されたパターン（画像パターン）である。短辺方向の中心２５ｄに対して所定量オフセットした列ＬＦ上において、搬送方向前側の非記録領域２５ｂの裏面にはパターン２６ａ、２６ｂが形成され、搬送方向後側の非記録領域２５ｃの表面にはパターン２７が形成されている。また、短辺方向の中心２５ｄに対して反対側に所定量オフセットした列ＬＥ上において、搬送方向前側の非印字領域２５ｂの表面にはパターン２８が形成され、非記録領域２５ｃの裏面にはパターン２９が形成されている。
【００５７】
プリンタ１の構成は、前述した第１または第２の実施形態と同様である。プリンタ本体には１つの反射型フォトカプラーが備えられており、記録媒体２５の搬送に伴い、パターン２６ａ、２６ｂ、２７を検出したときの電圧差Ｖｏの変化を順次検出することは、前述した実施形態と同様である。
【００５８】
パターン２６ａ、２６ｂと、それらの記録情報との関係は次のように設定されている。記録媒体２６の先端からパターン２６ａまでの距離Ｕは記録媒体のサイズに関係し、その距離Ｕに応じて、Ａ６、Ｌ版、カードサイズの３種類を意味する。パターン２６ａの長さＶは記録媒体の色処理の種類に関係し、その長さＶに応じて、コート紙用、光沢紙用、フィルム用の３種類を意味する。パターン２６ａと２６ｂの間隔Ｗはマルチパルス記録のパス数と関係し、その間隔Ｗに応じて２、４、８パスを意味する。パターン２６ｂの長さＸは記録範囲と関係し、その長さＸに応じて、余白のない全面記録をするか否かを意味する。
【００５９】
また、パターン２７、２８、２９の搬送方向長さをＹ、記録媒体２５の端部から各パターン２７、２８、２９までの距離をＺとしたときに、長さＹとパターン２６ａの長さＶ、および距離Ｚと先端からパターン２６ａまでの距離Ｕの内、少なくともどちらかが異なるように設定されている。すなわち、Ｙ≠ＶとＺ≠Ｕの少なくとも一方を満たすように設定する。
【００６０】
次に、記録媒体２５を用いた場合の動作について説明する。
正常な動作時は、給紙動作においてパターン２６ａ、２６ｂが検知され、前述した実施形態の場合と同様に、記録媒体２５の種類に応じた記録条件が読み込まれ、その条件にしたがって記録が行われる。記録媒体２５を搬送方向の前後を間違えて装填した場合には、給紙動作時にパターン２９が検知され、また表裏を間違えて装填した場合には、給紙動作時にパターン２８が検知され、それらの両方を間違えた場合には、給紙動作時にパターン２７が検知されることになる。したがって、それらの時点において、記録媒体が記録情報をもつ記録媒体２５であり、かつ間違って装填されていることを認識することができる。そのときに、記録の停止や警告を行うことは前述した実施形態と同様である。
【００６１】
このように、記録媒体の表裏、または方向を間違えて装填したとしても、その記録媒体が記録情報を有する専用の記録媒体２５であることを認識することができ、しかも、それが正しく装填されているか否かも同時に認識することができる。また、記録情報を持たない通常の記録媒体、つまり記録媒体２５とは異なる記録媒体を装填した場合には、第１の実施形態と同様に、その記録媒体が図８に示す位置まで給紙されたときに穴６ａ、６ｂが検知されないことをもって、通常の記録媒体が装填されたと判定し、表示器１ｂに表示されている記録条件にしたがって記録を行う。
【００６２】
本例では、記録終了付近でのパターン検知、つまり記録媒体の斜行や記録中の搬送異常を検知するためのパターン検知がない場合について説明したが、パターンを追加することにより、それらの検知も容易に実現することができる。つまり、記録媒体２５の裏面側において、パターン２７に対応する位置にパターンを追加して形成することにより、記録終了付近での検知が可能になる。
【００６３】
本実施形態においては、記録媒体に対して、その種別ではなく記録特性を記録するため、例えば、新しい記録媒体に関する記録条件を設定するときに、プリンタ内部に記憶されている種別対応表を更新する必要がない。また、記録媒体に適した記録の特性や条件を特定するための情報としては、上述したような記録モード、色再現処理の種類、記録位置、および記録サイズ以外に、１枚の記録媒体上に複数の画像を小さいコマに分けて記録する場合の記録分割の情報も含めてもよく、パターンの数が足りなければ新たなパターンを追加すればよい。また、穴ではなくパターンを形成することによって情報を記録するため、パターンとパターンの間を狭く設定しても記録媒体の強度が低下することがなく、小さい範囲に多くの情報を記録することができ、その分、記録媒体を小さくすることができる。
【００６４】
また、上述した第１、第２、および第３の実施形態では、記録媒体に対するマーキングとして、穴か予め記録されたパターンを用い、それらを光学的な検知手段によって検知したが、これらの構成に限るものではない。例えば、穴と記録パターンを混在させてもよく、この場合にも、単一の光学的検知手段によって検知することができる。同様に、記録媒体に対するマーキングとして穴を用いる場合には、記録媒体に当接するレバーのような機械的な手段によって、その穴を検知することができる。また、マーキングとして導通パターンを用いる場合には、それに接触するブラシによって電気的な導通、非導通を検知することができる。また、マーキングとして磁気的なパターンを用いる場合には、そのパターンを磁気ヘッドによって検知することができる。
【００６５】
（他の実施形態）
図１９は、本発明を適用可能な記録装置の制御系の概略ブロック構成図である。図１９において、ＣＰＵ１００は、本記録装置の動作の制御処理やデータ処理等を実行する。ＲＯＭ１０１は、それらの処理手順等のプログラムが格納され、またＲＡＭ１０２は、それらの処理を実行するためのワークエリアなどとして用いられる。記録ヘッド４が電気熱変換体（ヒータ）を用いたインクジェット記録ヘッドの場合、その記録ヘッド４からのインクの吐出は、ＣＰＵ１００が電気熱変換体の駆動データ（画像データ）および駆動制御信号（ヒートパルス信号）をヘッドドライバ４Ａに供給することにより行われる。画像データは、コンピュータなどのホスト装置２００から受信することができる。ＣＰＵ１００は、記録ヘッド４が搭載されるキャリッジを主走査方向に駆動するためのキャリッジモータ１０３をモータドライバ１０３Ａを介して制御し、また記録媒体を副走査方向に搬送するためのＰ．Ｆモータ１０４をモータドライバ１０４Ａを介して制御する。
【００６６】
ＣＰＵ１００は、前述したように、予め記録媒体に記録された情報の読取り手段としての反射型フォトカプラー１８の検出信号に基づいて、記録媒体の種類を判別する判定手段の作用をすると共に、その情報の読取りタイミングに基づいて、記録媒体の搬入姿勢に相当する充填姿勢を検知する。さらに、前述したように、記録媒体の種類に応じた記録条件を設定して記録を制御したり、記録媒体の搬入姿勢によっては記録を中止して警報を発したりする制御手段の作用を行う。また、このような機能は、ホスト装置２００上のアプリケーションやプリンタドライバを用いて発揮させるようにしてもよい。この場合には、ホスト装置２００と記録装置とによって記録システムが構成されることになる。
【図面の簡単な説明】
【００６７】
【図１】本発明の第１の実施形態における記録装置の斜視図である。
【図２】図１の記録装置内におけるプリンタユニットの斜視図である。
【図３】本発明の第１の実施形態における記録媒体の平面図である。
【図４】図３の記録媒体の種類と記録情報との関係の説明図である。
【図５】図２のプリンタユニットの記録動作前の状態を説明するための概略縦断面図である。
【図６】図５における反射型フォトカプラーとライトガイドの拡大断面図である。
【図７】図６における反射型フォトカプラーが接続される回路の構成図である。
【図８】図２のプリンタユニットの給紙状態を説明するための概略縦断面図である。
【図９】図２のプリンタユニットの記録開始状態を説明するための概略縦断面図である。
【図１０】図２のプリンタユニットの記録終了状態を説明するための概略縦断面図である。
【図１１】給紙から記録終了までの間における図７中の電圧差Ｖｏの変化の説明図である。
【図１２】記録媒体を裏返しに装填したときにおける図７中の電圧差Ｖｏの変化の説明図である。
【図１３】記録媒体が正しく装填された場合におけるライトガイドの上面と記録媒体の穴との位置関係の説明図である。
【図１４】記録媒体が斜行した場合におけるライトガイドの上面と記録媒体の穴との位置関係の説明図である。
【図１５】記録媒体が斜行した場合における図７中の電圧差Ｖｏの変化の説明図である。
【図１６】本発明の第２の実施形態における記録媒体の平面図である。
【図１７】本発明の第２の実施形態におけるプリンタユニットの概略縦断面図である。
【図１８】本発明の第３の実施形態における記録媒体の裏面図である。
【図１９】本発明を適用可能な記録装置の制御系のブロック構成図である。
【符号の説明】
【００６８】
１    プリンタ
２    カセット
３    プリンタユニット
４    記録ヘッド
５    記録媒体
６ａ、６ｂ    穴（記録情報）
７    穴
８    分離部
９    圧板
１０    給紙ローラー
１１    搬送ローラー
１２    ピンチローラー
１３    プラテン
１６    排紙ローラー
１７    ピンチローラー
１８    反射型フォトカプラー
１９    ライトガイド
２３    記録媒体
２４    穴（記録情報）
２５    記録媒体
２６    パターン（記録情報）
２７、２８、２９    パターン
【図１】
2005074806.tif 000003
【図２】
2005074806.tif 000004
【図３】
2005074806.tif 000005
【図４】
2005074806.tif 000006
【図５】
2005074806.tif 000007
【図６】
2005074806.tif 000008
【図７】
2005074806.tif 000009
【図８】
2005074806.tif 000010
【図９】
2005074806.tif 000011
【図１０】
2005074806.tif 000012
【図１１】
2005074806.tif 000013
【図１２】
2005074806.tif 000014
【図１３】
2005074806.tif 000015
【図１４】
2005074806.tif 000016
【図１５】
2005074806.tif 000017
【図１６】
2005074806.tif 000018
【図１７】
2005074806.tif 000019
【図１８】
2005074806.tif 000020
【図１９】
2005074806.tif 000021